(57)【要約】【課題】河川や湖沼の護岸工などに適用される石積み構造において、施工費を削減し、自然石が設置後に崩れるのを防ぐ。【解決手段】法面の前方に支持ネット５が設置され、支持ネット５の前方に複数個の自然石６がそれぞれアンカーシャフト７を介して支持ネット５に連結された形で積み上げられている。各アンカーシャフト７の長さが揃うように自然石６の奥行きに応じて支持ネット５が湾曲している。これにより、長さが異なる多種類のアンカーシャフト７を現場に搬入する必要がなくなる。アンカーシャフト７と自然石６とをアンカーによって固定すると、接着の養生管理を実施しなくて済む。【選択図】図５
2007009622.tif 000002
【特許請求の範囲】
【請求項１】
法面の前方に支持ネットが設置され、
この支持ネットの前方に複数個の石材がそれぞれアンカーシャフトを介して当該支持ネットに連結された形で積み上げられた石積み構造であって、
前記各アンカーシャフトの長さが揃うように前記石材の奥行きに応じて前記支持ネットが湾曲していることを特徴とする石積み構造。
【請求項２】
前記法面と前記複数個の石材との間に裏込材が充填されていることを特徴とする請求項１に記載の石積み構造。
【請求項３】
前記アンカーシャフトは、線材を有し、
この線材の一端にはアンカーが設けられ、
前記線材の他端にはフックが設けられていることを特徴とする請求項１または２に記載の石積み構造。
【請求項４】
前記アンカーシャフトは、前記線材が連結自在に分割されていることを特徴とする請求項３に記載の石積み構造。
【請求項５】
前記フックは、前記線材との隙間が狭くなってから広がるＶ字形を呈していることを特徴とする請求項３または４に記載の石積み構造。
【請求項６】
前記隙間の最小値は、前記支持ネットの線径の１〜２倍であることを特徴とする請求項５に記載の石積み構造。
【請求項７】
法面の前方に支持ネットが設置され、
この支持ネットの前方に複数個の石材がそれぞれアンカーシャフトを介して当該支持ネットに連結された形で積み上げられた石積み構造を施工する際に、
前記各アンカーシャフトの長さが揃うように前記石材の奥行きに応じて前記支持ネットを湾曲させるネット湾曲工程を含むことを特徴とする石積み工法。
【請求項８】
前記法面と前記複数個の石材との間に裏込材を充填する裏込工程を含むことを特徴とする請求項７に記載の石積み工法。
【発明の詳細な説明】
【技術分野】
【０００１】
本発明は、河川や湖沼の護岸工などに適用するに好適な、石積み構造および石積み工法に関するものである。
【背景技術】
【０００２】
従来、この種の石積み構造としては、自然石などの石材に棒状部材を接着剤で接着し、この棒状部材を網状体に連結したものが提案されていた（例えば、特許文献１参照）。
【特許文献１】特許第２９８３２０７号公報（段落〔００５２〕、〔００９２〕〜〔００９４〕の欄、図５、図２９）
【発明の開示】
【発明が解決しようとする課題】
【０００３】
しかし、これでは次のような不都合があった。
【０００４】
第１に、とりわけ現場周辺の自然石を石材として用いる場合、石材の奥行きが区々であるため、石材の表面を面一に施工するためには、長さが異なる多種類のアンカーシャフトを現場に搬入しなければならない。
【０００５】
第２に、石材と棒状部材との固定に接着剤を使うので、石材が設置後に崩れる恐れのない安全な石積み構造を構築するためには、現場で接着の養生管理を実施する必要がある。
【０００６】
本発明は、こうした不都合を解消することが可能な、石積み構造および石積み工法を提供することを目的とする。
【課題を解決するための手段】
【０００７】
まず、請求項１に係る石積み構造の発明は、法面の前方に支持ネットが設置され、この支持ネットの前方に複数個の石材がそれぞれアンカーシャフトを介して当該支持ネットに連結された形で積み上げられた石積み構造であって、前記各アンカーシャフトの長さが揃うように前記石材の奥行きに応じて前記支持ネットが湾曲していることを特徴とする。
また、請求項２に係る石積み構造の発明は、前記法面と前記複数個の石材との間に裏込材が充填されていることを特徴とする。
また、請求項３に係る石積み構造の発明は、前記アンカーシャフトは、線材を有し、この線材の一端にはアンカーが設けられ、前記線材の他端にはフックが設けられていることを特徴とする。
また、請求項４に係る石積み構造の発明は、前記アンカーシャフトは、前記線材が連結自在に分割されていることを特徴とする。
また、請求項５に係る石積み構造の発明は、前記フックは、前記線材との隙間が狭くなってから広がるＶ字形を呈していることを特徴とする。
また、請求項６に係る石積み構造の発明は、前記隙間の最小値は、前記支持ネットの線径の１〜２倍であることを特徴とする。
また、請求項７に係る石積み工法の発明は、法面の前方に支持ネットが設置され、この支持ネットの前方に複数個の石材がそれぞれアンカーシャフトを介して当該支持ネットに連結された形で積み上げられた石積み構造を施工する際に、前記各アンカーシャフトの長さが揃うように前記石材の奥行きに応じて前記支持ネットを湾曲させるネット湾曲工程を含むことを特徴とする。
また、請求項８に係る石積み工法の発明は、前記法面と前記複数個の石材との間に裏込材を充填する裏込工程を含むことを特徴とする。
【発明の効果】
【０００８】
本発明によれば、自然石を石材として用いる場合であっても、長さが異なる多種類のアンカーシャフトを現場に搬入する必要がなくなる。その結果、石積み構造の施工費を削減することが可能となる。
【０００９】
また、アンカーシャフトと石材とをアンカーによって固定すると、接着の養生管理を実施しなくても、石材が設置後に崩れる事態の発生を防ぐことができる。
【発明を実施するための最良の形態】
【００１０】
以下、本発明の実施形態を図面に基づいて説明する。
【００１１】
＜第１の実施形態＞
図１は本発明に係る石積み構造の一実施形態を示す斜視図、図２はアンカーシャフトの詳細図、図３はアンカーシャフトの係止作業の一工程を示す斜視図、図４はアンカーシャフトの係止作業の次工程を示す斜視図、図５は自然石が面一に載置された状態を示す平面図である。
【００１２】
石積み構造１においては、図１に示すように、河川の法面（のり面）２に吸い出し防止シート３が張設されており、法面２の前方に亜鉛アルミニウム合金製の支持ネット５が立設されている。この支持ネット５は、自然石６の各段に対応した横連結ネット５１と、これらの横連結ネット５１同士を連結コイル５３を介して縦に連結する縦連結ネット５２とから構成されている。さらに、横連結ネット５１は、所定長さの単位ネット５５が連結コイル５４を介して横に連結されたものである。
【００１３】
また、支持ネット５の前方には、複数個の自然石（石材）６が多段多列（図１では４段４列）に積み上げられており、各自然石６は一定の長さを有する亜鉛アルミニウム合金製のアンカーシャフト７によって支持ネット５に水平に連結されている。このアンカーシャフト７は、図２に示すように、鋼棒（線材）７１を有している。鋼棒７１の一端にはアンカー７２が設けられており、鋼棒７１の他端にはフック７３が、鋼棒７１から折り返して形成されている。ここで、アンカー７２は、鋼棒７１の端部近傍に円錐状に形成された膨出部７４に対して、３〜４本のスリットが先端に形成された円筒状のスリーブ７５が鋼棒７１に沿って摺動自在に嵌合した構造を有している。また、フック７３は、鋼棒７１との隙間が狭くなってから広がるＶ字形を呈しており、この隙間の最小値Ｃ１は支持ネット５の線径Ｄ１の１〜２倍とするのが望ましい。例えば、支持ネット５の線径Ｄ１が３．２ｍｍの場合、隙間の最小値Ｃ１を６ｍｍとする。また、支持ネット５の線径Ｄ１が４ｍｍの場合、隙間の最小値Ｃ１を７．６ｍｍとする。さらに、支持ネット５の線径Ｄ１が６ｍｍの場合、隙間の最小値Ｃ１を８．８ｍｍとする。
【００１４】
さらに、自然石６の背面には、図１に示すように、ヤシマットなどの閉塞マット（図示せず）が立設されており、この閉塞マットと吸い出し防止シート３との間には砕石（裏込材）９が充填されている。
【００１５】
石積み構造１は以上のような構成を有するので、この石積み構造１を河川に施工する際には、次の手順による。
【００１６】
すなわち、河川の法面２に吸い出し防止シート３を張設する。
【００１７】
次に、１段目の自然石６の載置作業を行う。
【００１８】
それには、まず、法面２に載置すべき自然石６の個数に等しい本数のアンカーシャフト７を支持ネット５に係止する。すなわち、図３に示すように、支持ネット５に対してアンカーシャフト７のフック７３を斜め上方から挿入して支持ネット５の交点部に引っ掛けた後、図４に示すように、アンカーシャフト７を降ろして水平にする。さらに、支持ネット５を後ろ向き（法面２側）に軽く叩いて移動させ、支持ネット５に対するアンカーシャフト７の係止状態を完全なものとする。すると、アンカーシャフト７は、フック７３を介して支持ネット５の交点部に引っ掛かった状態となり、しかも、このフック７３が鋼棒７１との隙間が狭くなってから広がるＶ字形を呈しているため、前後いずれの方向にも抜けなくなる。
【００１９】
次に、これらのアンカーシャフト７に自然石６を固定する。すなわち、ハンマードリル（図示せず）を用いて自然石６に孔をあけ、くり粉を除去した後、この孔にアンカーシャフト７のアンカー７２を水平に打ち込んで固定する。それには、アンカーシャフト７の鋼棒７１の一端がこの孔に挿通された状態で、スリーブ７５を打ち込む。すると、スリーブ７５の先端が膨出部７４に押し広げられる形で外向きに広がるため、自然石６はアンカーシャフト７に強固に固定される。このように、アンカーシャフト７と自然石６とはアンカー７２によって固定され、両者の固定に接着剤を使わないので、接着の養生管理を実施しなくても自然石６が設置後に崩れる心配はない。
【００２０】
このとき、図５に示すように、すべての自然石６の表面が面一となるようにする。ここで、自然石６の奥行きが区々であっても、それに合わせて支持ネット５を湾曲させることにより、均一の長さを有する１種類のアンカーシャフト７をすべての自然石６について使用することができる。したがって、長さが異なる多種類のアンカーシャフト７を現場に搬入する必要はなく、それだけ石積み構造１の施工費を削減することができる。しかも、支持ネット５が湾曲していると、図５に矢印で示すように、支持ネット５にかかる荷重が多方向に分散されるため、支持ネット５が倒壊しにくくなる。
【００２１】
次に、これらの自然石６の背面に閉塞マット（図示せず）を立設する。ただし、中詰材に細粒砕石や現地発生土を使用しない場合は、この閉塞マットを省くことができる。
【００２２】
最後に、この閉塞マットと吸い出し防止シート３との間に砕石９を投入し、砕石９を転圧して突き固める。
【００２３】
ここで、１段目の自然石６の載置作業が終了する。
【００２４】
こうして１段目の自然石６の載置作業が終了したところで、２段目の自然石６の載置作業を同様の手順で行う。このとき、砕石９を足場として１段目の自然石６の上側に２段目の自然石６を載置することにより、２段目の自然石６の載置作業を円滑に実行することができる。
【００２５】
こうして２段目の自然石６の載置作業が終了したところで、３段目から最上段までの自然石６の載置作業を同様の手順で順に行う。
【００２６】
こうして最上段の自然石６の載置作業が終了したところで、石積み構造１の施工が完了する。そして、このようにして施工された石積み構造１では、伝統工法である空石積み工法の表現が可能となり、優れた景観を提供することができる。
【００２７】
＜第２の実施形態＞
なお、上述の実施形態においては、１本もののアンカーシャフト７を用いる場合について説明したが、アンカーシャフト７を鋼棒７１部分で２本に分割しておき、これらを自然石６の載置作業およびアンカーシャフト７の係止作業の後にジョイント金具（図示せず）で連結して一本化することもできる。この場合、自然石６の載置作業とアンカーシャフト７の係止作業とを同時に実施できるので、工期を短縮することができる。
【００２８】
＜その他の実施形態＞
なお、上述の実施形態においては、石材として自然石６を使用する場合について説明したが、自然石６に代えて擬石を用いることも可能である。
【００２９】
なお、上述の実施形態においては、線材として鋼棒７１を使用する場合について説明したが、鋼棒７１以外の線材（例えば、鋼製パイプ、ステンレス線、異形鉄筋、単管パイプ、ロープなど）を代用しても構わない。
【００３０】
なお、上述の実施形態においては、裏込材として砕石９を用いる場合について説明したが、砕石９以外の裏込材（例えば、砂利、ぐり石、割栗石、現地発生土、コンクリート破砕ガラなど）を代用することもできる。
【００３１】
なお、上述の実施形態においては、亜鉛アルミニウム合金製の支持ネット５およびアンカーシャフト７を使用する場合について説明したが、支持ネット５やアンカーシャフト７の材質は亜鉛アルミニウム合金に限るわけではない。
【産業上の利用可能性】
【００３２】
本発明は、自然環境や生態系、美観を保護する必要性の高い河川や湖沼の護岸工などに広く適用することができる。
【図面の簡単な説明】
【００３３】
【図１】本発明に係る石積み構造の一実施形態を示す斜視図である。
【図２】アンカーシャフトの詳細図である。
【図３】アンカーシャフトの係止作業の一工程を示す斜視図である。
【図４】アンカーシャフトの係止作業の次工程を示す斜視図である。
【図５】自然石が面一に載置された状態を示す平面図である。
【符号の説明】
【００３４】
１……石積み構造
２……法面
３……吸い出し防止シート
５……支持ネット
６……自然石（石材）
７……アンカーシャフト
７１……鋼棒（線材）
７２……アンカー
７３……フック
９……砕石（裏込材）
Ｃ１……隙間の最小値
Ｄ１……支持ネットの線径
【図１】
2007009622.tif 000003
【図２】
2007009622.tif 000004
【図３】
2007009622.tif 000005
【図４】
2007009622.tif 000006
【図５】
2007009622.tif 000007